(57)【要約】【課題】移動者の移動に連動してサーバ間でデータを移動させるデータ移動システム及び方法の提供。【解決手段】エリア１００及び２００内に、利用者７０１のデータを格納するデータベース１０４／２０４と、該データベースをアクセスするためのサーバ１０３／２０３と、該サーバと他のサーバ間でデータを伝送するための伝送装置１０２／２０２とを配置し、Ａエリア１００からＢエリア２００へ利用者が移動したときにＡエリアのデータベース１０４に格納したデータをＢエリアのデータベース２０１へ移動するデータ移動システムであって、利用者が在するエリアを検出する利用者エリア検出手段である位置情報管理センタ３０１と、該管理センタ３０１により利用者７０１がＡエリア外に在し、且つＢエリアに在することを検出したとき、Ａエリアのデータベース１０４に格納した利用者のデータをＢエリアのデータベース２０４に伝送し、利用者がＢエリアに在することを検出している期間中、Ａエリアのデータベース１０４に新たに格納された利用者のデータを、Ｂエリアのデータベース２０４に伝送する伝送手段とを備えたもの。【選択図】  図１
2004280281.tif 000002
【特許請求の範囲】
【請求項１】
複数のエリア内に利用者のデータを格納するデータベースと、該データベースをアクセスするためのサーバと、該サーバと他のサーバ間でデータを伝送するための伝送装置とを配置し、一方のエリアから他方のエリアへ利用者が移動したときに前記一方のエリアのデータベースに格納したデータを他方のエリアのデータベースへ移動するデータ移動システムであって、
利用者が在するエリアを検出する利用者エリア検出手段と、該利用者エリア検出手段により利用者が一方のエリア外に在することを検出し、且つ他方のエリアに在することを検出したとき、一方のエリアのデータベースに格納した利用者のデータを他方のエリアのデータベースに伝送し、利用者が他方のエリアに在することを利用者エリア検出手段により検出している期間中、一方のエリアのデータベースに新たに格納された利用者のデータを、前記他方のエリアのデータベースに伝送する伝送手段とを備えることを特徴とする移動者の移動に連動したデータ移動システム。
【請求項２】
複数のエリア内に利用者のデータを格納するデータベースと、該データベースをアクセスするためのサーバと、該サーバと他のサーバ間でデータを伝送するための伝送装置とを配置し、一方のエリアのデータベースに格納したデータを、他方のエリアのデータベースへ移動するデータ移動システムであって、
利用者が在するエリアを検出する利用者エリア検出手段と、移動者が移動予定の他のエリアを指定し、該利用者エリア検出手段により利用者が一方のエリア外に在することを検出したとき、一方のエリアのデータベースに格納した利用者のデータを、前記指定された他方のエリアのデータベースに伝送し、利用者が他方のエリアに在することを利用者エリア検出手段により検出している期間中、一方のエリアのデータベースに新たに格納された利用者のデータを、前記他方のエリアのデータベースに伝送する伝送手段とを備えることを特徴とする移動者の移動に連動したデータ移動システム。
【請求項３】
前記利用者が他方のエリアのサーバを用いて更に他のエリアのサーバにデータを伝送したとき、前記他方のエリアのサーバが、利用者の移動元のエリアから発信したことを示す送信元情報を、前記伝送したデータに付加することを特徴とする請求項１又は２記載の移動者の移動に連動したデータ移動システム。
【請求項４】
前記伝送手段が、前記他方のエリアに利用者が在することを利用者エリア検出手段により検出し、且つ利用者が他方のエリアのサーバを用いて更に他のエリアのサーバにデータを伝送したとき、該伝送したデータを一方のエリアのサーバに伝送することを特徴とする請求項１又は２又は３記載のデータ移動システム。
【請求項５】
複数のエリア内に利用者のデータを格納するデータベースと、該データベースをアクセスするためのサーバと、該サーバと他のサーバ間でデータを伝送するための伝送装置とを配置し、一方のエリアから他方のエリアへ利用者が移動したときに前記一方のエリアのデータベースに格納したデータを他方のエリアのデータベースへ移動するデータ移動方法であって、
利用者が在するエリアを検出し、該利用者が一方のエリア外に在することを検出し、且つ他方のエリアに在することを検出したとき、一方のエリアのデータベースに格納した利用者のデータを他方のエリアのデータベースに伝送し、利用者が他方のエリアに在することを検出している期間中、一方のエリアのデータベースに新たに格納された利用者のデータを、前記他方のエリアのデータベースに伝送することを特徴とする移動者の移動に連動したデータ移動方法。
【請求項６】
複数のエリア内に利用者のデータを格納するデータベースと、該データベースをアクセスするためのサーバと、該サーバと他のサーバ間でデータを伝送するための伝送装置とを配置し、一方のエリアのデータベースに格納したデータを、他方のエリアのデータベースへ移動するデータ移動方法であって、
利用者が在するエリアを検出し、移動者が移動予定の他のエリアを指定し、前記利用者が一方のエリア外に在することを検出したとき、一方のエリアのデータベースに格納した利用者のデータを、前記指定された他方のエリアのデータベースに伝送し、利用者が他方のエリアに在することを検出している期間中、一方のエリアのデータベースに新たに格納された利用者のデータを、前記他方のエリアのデータベースに伝送することを特徴とする移動者の移動に連動したデータ移動方法。
【請求項７】
前記利用者が他方のエリアのサーバを用いて更に他のエリアのサーバにデータを伝送したとき、前記他方のエリアのサーバが、他方のエリアから発信したことを示す送信元情報を、前記伝送したデータに付加することを特徴とする請求項５又は６記載の移動者の移動に連動したデータ移動方法。
【請求項８】
前記伝送手段が、前記他方のエリアに利用者が在することを利用者エリア検出手段により検出し、且つ利用者が他方のエリアのサーバを用いて更に他のエリアのサーバにデータを伝送したとき、該伝送したデータを一方のエリアのサーバに伝送することを特徴とする請求項５又は６又は７記載のデータ移動方法。
【発明の詳細な説明】
【０００１】
【産業上の利用分野】
本発明は、移動者の移動に連動したデータ移動システムに係り、特に移動者の移動に応じてデータをサーバ間で移動することができる移動者の移動に連動したデータ移動システム及びデータ移動方法に関する。
【０００２】
【従来の技術】
近年、コンピュータ技術の発達によって携帯型のパーソナルコンピュータの普及がめざましく、このため利用者が遠隔地に移動した際にも自己のデータを保管したサーバからデータをダウンロードすることが行われている。例えば、本社（Ａ地点）と遠隔地にある支社（Ｂ地点）とが各々のサーバを介して社内ＷＡＮ接続され、本社に所属する利用者が支社に出張した際に、支社において本社にあるサーバから自己宛のメールやデータをダウンロードすることが行われており、従来技術においては支社のパーソナルコンピュータを用いて支社のサーバ及び社内ＷＡＮを経由して本社のサーバにアクセスし、これによりデータを入手することが行われている。
【０００３】
尚、従来技術によるサーバ間のデータ転送システムが記載された文献としては、例えば特開平１１−２７２５８２号公報、特開２０００−３６８３２号公報記載の技術が挙げられ、これら公報には、複数のメールサーバにおいて、それぞれのメールサーバにおいて受信したメールデータを、同一アカウントにて受信できるように一箇所のメールサーバに転送できるシステムが提案されている。
【０００４】
【発明が解決しようとする課題】
前述の従来技術によるデータの転送技術は、本社に所属する移動者が支社においてデータを取得する際、本社にあるサーバへアクセスを行うため、支社からのアクセス毎に本社−支社間のＷＡＮ回線に負荷がかかり、他の利用者の通信に影響を及ぼす可能性があり、更に本社と支社のサーバ間でデータを転送するため利用者が支社からデータを取得する際に支社−本社間の回線上をデータが流れるためにデータ取得時間が冗長になると言う不具合があった。
【０００５】
また前述の公報記載の技術は、例えば本社−支社におけるサーバの環境が異なるため、その都度クライアントのＩＰアドレス等の設定変更を解消することを目的としたものであって、前述の従来技術同様の不具合があった。
【０００６】
本発明の目的は、前述の従来技術による不具合を除去することであり、移動者のデータアクセス時の利便性の向上と回線にかかる負荷を軽減することができる移動者の移動に連動したデータ移動システム及びデータ移動方法を提供することである。
【０００７】
【課題を解決するための手段】
前記目的を達成するために本発明は、複数のエリア内に利用者のデータを格納するデータベースと、該データベースをアクセスするためのサーバと、該サーバと他のサーバ間でデータを伝送するための伝送装置とを配置し、一方のエリアから他方のエリアへ利用者が移動したときに前記一方のエリアのデータベースに格納したデータを他方のエリアのデータベースへ移動するデータ移動システムにおいて、利用者が在するエリアを検出する利用者エリア検出手段と、該利用者エリア検出手段により利用者が一方のエリア外に在することを検出し、且つ他方のエリアに在することを検出したとき、一方のエリアのデータベースに格納した利用者のデータを他方のエリアのデータベースに伝送し、利用者が他方のエリアに在することを利用者エリア検出手段により検出している期間中、一方のエリアのデータベースに新たに格納された利用者のデータを、前記他方のエリアのデータベースに伝送する伝送手段とを備えることを第１の特徴とする。
【０００８】
また本発明は、複数のエリア内に利用者のデータを格納するデータベースと、該データベースをアクセスするためのサーバと、該サーバと他のサーバ間でデータを伝送するための伝送装置とを配置し、一方のエリアのデータベースに格納したデータを、他方のエリアのデータベースへ移動するデータ移動システムにおいて、利用者が在するエリアを検出する利用者エリア検出手段と、移動者が移動予定の他のエリアを指定し、該利用者エリア検出手段により利用者が一方のエリア外に在することを検出したとき、一方のエリアのデータベースに格納した利用者のデータを、前記指定された他方のエリアのデータベースに伝送し、利用者が他方のエリアに在することを利用者エリア検出手段により検出している期間中、一方のエリアのデータベースに新たに格納された利用者のデータを、前記他方のエリアのデータベースに伝送する伝送手段とを備えることを第２の特徴とする。
【０００９】
更に本発明は、前記何れかのデータ移動システムにおいて、前記利用者が他方のエリアのサーバを用いて更に他のエリアのサーバにデータを伝送したとき、前記他方のエリアのサーバが、利用者の移動元のエリアから発信したことを示す送信元情報を、前記伝送したデータに付加することを第３の特徴とし、前記何れかのデータ移動システムにおいて、前記伝送手段が、前記他方のエリアに利用者が在することを利用者エリア検出手段により検出し、且つ利用者が他方のエリアのサーバを用いて更に他のエリアのサーバにデータを伝送したとき、該伝送したデータを一方のエリアのサーバに伝送することを第４の特徴とする。
【００１０】
また本発明は、複数のエリア内に利用者のデータを格納するデータベースと、該データベースをアクセスするためのサーバと、該サーバと他のサーバ間でデータを伝送するための伝送装置とを配置し、一方のエリアから他方のエリアへ利用者が移動したときに前記一方のエリアのデータベースに格納したデータを他方のエリアのデータベースへ移動するデータ移動方法において、利用者が在するエリアを検出し、該利用者が一方のエリア外に在することを検出し、且つ他方のエリアに在することを検出したとき、一方のエリアのデータベースに格納した利用者のデータを他方のエリアのデータベースに伝送し、利用者が他方のエリアに在することを検出している期間中、一方のエリアのデータベースに新たに格納された利用者のデータを、前記他方のエリアのデータベースに伝送することを第５の特徴とする。
【００１１】
また本発明は、複数のエリア内に利用者のデータを格納するデータベースと、該データベースをアクセスするためのサーバと、該サーバと他のサーバ間でデータを伝送するための伝送装置とを配置し、一方のエリアのデータベースに格納したデータを、他方のエリアのデータベースへ移動するデータ移動方法において、利用者が在するエリアを検出し、移動者が移動予定の他のエリアを指定し、前記利用者が一方のエリア外に在することを検出したとき、一方のエリアのデータベースに格納した利用者のデータを、前記指定された他方のエリアのデータベースに伝送し、利用者が他方のエリアに在することを検出している期間中、一方のエリアのデータベースに新たに格納された利用者のデータを、前記他方のエリアのデータベースに伝送することを第６の特徴とする。
【００１２】
更に本発明は、前記何れかのデータ移動方法において、前記利用者が他方のエリアのサーバを用いて更に他のエリアのサーバにデータを伝送したとき、前記他方のエリアのサーバが、利用者の移動元のエリアから発信したことを示す送信元情報を、前記伝送したデータに付加することを第７の特徴とし、前記何れかのデータ移動方法において、前記伝送手段が、前記他方のエリアに利用者が在することを利用者エリア検出手段により検出し、且つ利用者が他方のエリアのサーバを用いて更に他のエリアのサーバにデータを伝送したとき、該伝送したデータを一方のエリアのサーバに伝送することを第８の特徴とする。
【発明の実施の形態】
以下、本発明による移動者の移動に連動したデータ移動システム及びデータ移動方法の一実施形態を図面を参照して詳細に説明する。図１は本実施形態によるデータ移動システムを適用するネットワークシステムの全体構成を示す概略図、図２は本実施形態における移動者のＡエリアからＢエリアへ移動するときのデータ伝送手順を説明するための説明図、図３は本実施形態による利用者がＢエリアからＡエリアへ移動するときのデータ伝送手順を説明するための図、図４は本実施形態におけるシステム全体の動作フローチャート図である。
【００１３】
［全体構成の説明］
まず本実施形態によるデータ移動方法を適用したデータ移動システムは、図１に示す如く、Ａエリア１００と、該Ａエリア１００と遠隔地にあるＢエリア２００と、該ＡＢエリア外に位置する位置情報管理センタ３０１とに大別され、また、このネットワークシステムは図２に示すようにＡエリア１００とＢエリア２００の境界地点を境界地点８０１が存在するものとする。
【００１４】
前記Ａエリア１００には、図１に示す如く、同一エリアのＡ地点１０１に、メールその他のデータを格納するデータベース１０４と、該データベース１０４へのアクセスサ等を制御するサーバ１０３と、サーバ間のデータ伝送を制御する伝送装置１０２と、前記データベース１０４／サーバ１０３／伝送装置１０２間でデータを伝送するための伝送路１０６及び１０５と、前記伝送装置１０２から伝送路（ＬＡＮ）１０８を介して接続される通信端末装置１０７と、利用者７０１が携帯する携帯通信装置７０２と、該携帯通信装置７０２と通信を行うための携帯通信網５０１とが配置されている。
【００１５】
前記Ａ地点１０１と遠隔地のＢエリア２００には、同一エリアのＢ地点２０１に、メールその他のデータを格納するデータベース２０４と、該データベース２０４へのアクセスサ等を制御するサーバ２０３と、サーバ間のデータ伝送を制御する伝送装置２０２と、前記データベース２０４／サーバ２０３／伝送装置２０２間でデータを伝送するための伝送路２０６及び２０５と、前記伝送装置２０２から伝送路（ＬＡＮ）２０８を介して接続される通信端末装置２０７と、利用者７０１が移動して携帯通信装置７０２と通信を行うための携帯通信網５０２とが配置されている。
【００１６】
また前記位置情報管理センタ３０１には、前記両エリア１００及び２００の各々の伝送装置１０２及び２０２並びに携帯通信網５０１及び５０２と接続するための伝送装置３０２と、利用者７０１が携帯している携帯通信装置７０２からの位置情報に基づいて利用者の位置を検出するための位置情報管理サーバ３０３と、所属エリアの情報を格納するデータベース３０４とを備えている。
【００１７】
［前提条件の説明］
ここで本実施形態の前提となるネットワークシステム及び利用者について説明すると、前記移動者７０１はＡエリア１００を本拠地とし、移動者７０１のデータは、移動者７０１が本拠地に在する場合、データベース１０４内に格納されているものとする。また、移動者７０１の本拠地、移動者７０１の現在所在するエリア、位置情報管理サーバ３０３に接続されているサーバの所属エリアの情報は、データベース３０４に格納され、位置情報管理サーバ３０３がデータベース３０４をアクセスすることによって利用者の在するエリアを参照することができるものとする。
【００１８】
［移動者がＡエリア内でサーバにアクセスを行う場合の動作］
次に、移動者７０１がＡエリア１００内において、同一エリア内のサーバ１０３にアクセスを行う場合の動作を図１〜図４を参照して説明する。
【００１９】
まず、移動者７０１がＡエリア１００内においてデータのアクセスを行う場合、本システムは、図１に示す如く、移動者７０１の位置情報が携帯通信装置７０２から携帯通信網５０１に通知され、伝送路５０３−伝送装置３０２−伝送路３０５を経由して位置情報管理サーバ３０３に伝送される。この位置情報を伝送された位置情報管理サーバ３０３は、データベース３０４を参照し、移動者７０１が移動してないことを図４のステップ１００１により判定した場合、利用者７０１のデータを当該データベース１０４に保持する（後述のデータ転送の指示を行わない）。
【００２０】
このため、移動者７０１のデータはデータベース１０４に存在し、移動者７０１が通信端末装置１０７を用いてデータの受信を行う場合、そのデータは通信端末装置１０７−伝送路１０８−伝送装置１０２−伝送路１０５を経由してサーバ１０３へアクセスされる（ステップ１０１０）。
【００２１】
［移動者がＡエリアからＢエリアへ移動する場合の動作］
次に移動者７０１がＡエリア１００からＢエリア２００へ移動経路７０３上を移動する場合、本システムは、、移動者７０１がＡエリア１００からＢエリア２００へ移動経路７０３上の移動を開始し、図２に示す境界地点８０１を通過したとき、この移動者７０１の位置情報が携帯通信装置７０２から位置情報通知８０２によりＢエリア２００にある携帯通信網５０２に通知され、この位置情報が、携帯通信網５０２からの位置情報通知８０３により伝送路５０４−伝送装置３０２−伝送路３０５を経由して位置情報管理サーバ３０３に伝送される。
【００２２】
更に移動者７０１が移動してＢエリア２００内に入った場合、本システムは、位置情報管理サーバ３０３がデータベース３０４を参照して移動者７０１がＡエリア１００からＢエリア２００へ移動したことをステップ１００１によって判定する。このＢエリア２００へ移動と判定した場合、Ｂエリア２００内にサーバが存在するか否かをデータベース３０４を参照して判定（ステップ１００２）し、該ステップ１００２において移動先にサーバが存在しない場合はステップ１０１０に移行して最寄りのサーバに対してアクセスを行う。
【００２３】
前記ステップ１００２においてＢエリアにサーバ２０３が存在すると判定した場合、本システムによる位置情報管理サーバ３０３は、データベース３０４を参照し、前記判定したサーバ２０３が移動者７０１の本拠地のサーバであるかの判定（ステップ１００３）を行い、本拠地とは別のサーバであることを確認した場合、サーバ１０３からサーバ２０３へのデータ伝送を行う（ステップ１００４）。
【００２４】
このステップ１００４において位置情報管理サーバ３０３は、移動者７０１のデータをサーバ１０３からサーバ２０３に伝送するため、データ送信指示９０１を伝送路３０５−伝送装置３０２−伝送路６０１−伝送装置１０２−伝送路１０５を経由して移動者７０１の移動元のサーバ１０３へ送信する。また、同時にデータ受信指示９０２を伝送路３０５−伝送装置３０２−伝送路６０２−伝送装置２０２−伝送路２０５を経由して移動者７０１の移動先のサーバ２０３に送信する。
【００２５】
この指示を受けたサーバ１０３は、サーバ１０３の利用率及び伝送路４０１の利用率が設定値以下である時間に、データベース１０４内の移動者７０１のデータをデータ送信９０３により伝送路１０５−伝送装置１０２−伝送路４０１−伝送装置２０２−伝送路２０５を経由してサーバ２０３へ送信し、サーバ２０３よりデータベース２０４へ格納する。
【００２６】
［データベース３０４の更新の動作］
位置情報管理サーバ３０３は、前述のデータ送信指示９０１及びデータ受信指示９０２を送信後、データベース３０４内に格納されている移動者７０１の現在所在するエリアの情報を、Ａエリア１００からＢエリア２００に更新し、且つ移動者７０１の最新データを所持するサーバの情報をサーバ１０３からサーバ２０３に更新する（ステップ１００５）。
【００２７】
［サーバ１０３からサーバ２０３へのデータ転送の動作］
前述のデータ送信指示９０１及びデータ受信指示９０２には、移動者７０１の本拠地のサーバ１０３及び移動先のサーバ２０３へ、次の指示を受けるまで移動者７０１宛に本拠地のサーバ１０３にて受信したデータをサーバ１０３からサーバ２０３へ送信する指示を含むため、指示を受けたサーバ１０３は、サーバ１０３の利用率及び伝送路４０１の利用率が設定値以下である時間に、移動者７０１宛に受信したデータをデータ送信９０４により伝送路１０５−伝送装置１０２−伝送路４０１−伝送装置２０２−伝送路２０５を経由してサーバ２０３へ送信し、サーバ２０３よりデータベース２０４へ格納する（ステップ１００６）。
【００２８】
［移動先Ｂエリア２００でのサーバ２０３へのデータアクセスの動作］
このように本システムは、移動者７０１がＡエリア１００からＢエリア２００へ移動経路７０３上を移動する間のサーバ１０３の利用率及び伝送路４０１の利用率が設定値以下である時間内に、移動者７０１のデータ転送を行うことにより、移動者７０１がＢエリアに到達直後においても通信端末装置２０７を用いてデータを同じＬＡＮ内のサーバ２０３から入手することができる（ステップ１０１０）。
【００２９】
［移動先Ｂエリア２００からのデータ送信の動作］
次いで移動者７０１がＢエリア２００からデータを送信するときの動作について説明する。本実施形態による本拠地のサーバ１０３及び移動先サーバ２０３は、ステップ１００５において位置情報管理サーバ３０３から指示を受けたときから次の指示を受けるまでの間、移動者７０１がＢエリアから任意の場所へ送信したデータを、伝送路２０８−伝送装置２０２−伝送路２０５を経由して一旦サーバ２０３にて受信し、サーバ２０３から伝送路２０５−伝送装置２０２−伝送路４０１−伝送装置１０２−伝送路１０５を経由してサーバ１０３へデータを転送し、サーバ１０３から目的の場所へ送信を行う。このとき本システムは、サーバ２０３が、発信したデータに対して利用者が移動元であるエリアＡ１００のサーバ１０３を用いて発信したときと同様の送信元情報を付加して送信を行うため、移動者７０１が任意の場所に送信したデータに移動元と同様の本拠地サーバから送られた形にすることができる。
【００３０】
［移動者がＢエリア２００からＡエリア１００へ移動する場合］
次に、移動者７０１がＢエリア２００から本拠地のＡエリア１００へ移動経路７０４上を移動する場合について説明する。
まず、移動者７０１がＢエリア２００からＡエリア１００へ移動経路７０４上の移動を開始すると、本システムは。移動者７０１がＡエリア１００とＢエリア２００の境界である境界地点８０１を通過したとき、移動者７０１の位置情報が携帯通信装置７０２から位置情報通知８０４によりＡエリアに存在する携帯通信網５０１に通知されることにより、携帯通信網５０１からの位置情報通知８０５が伝送路５０３−伝送装置３０２−伝送路３０５を経由して位置情報管理サーバ３０３に伝送される。
【００３１】
これを受けた位置情報管理サーバ３０３は、データベース３０４を参照し、移動者７０１がＢエリア２００からＡエリア１００へ移動したことを確認し（ステップ１００１）、データベース３０４を参照してＡエリア内にサーバが存在するかを判定（ステップ１００２）し、サーバ１０３が存在することを確認する。次いで本システムは、位置情報管理サーバ３０３がＡエリアにサーバ１０３があることを判定したとき、データベース３０４を参照してサーバ１０３が移動者７０１の本拠地のサーバであるか否かの判定（ステップ１００３）を行い、本拠地のサーバであることを確認する。
【００３２】
［サーバ１０３からサーバ２０３へのデータ転送の終了］
次いで本システムは、位置情報管理サーバ３０３が上記を確認した後、サーバ１０３及びサーバ２０３宛に、ステップ１００６にて指示していた、移動者７０１宛に本拠地のサーバ１０３にて受信したデータをサーバ１０３からサーバ２０３へ送信させていた処理を終了させるように、終了指示９１１を伝送路３０５−伝送装置３０２−伝送路６０１−伝送装置１０２−伝送路１０５を経由してサーバ１０３へ送信し、同時に終了指示９１２を伝送路３０５−伝送装置３０２−伝送路６０２−伝送装置２０２、伝送路２０５を経由してサーバ２０３へ送信することにより、サーバ１０３からサーバ２０３へのデータ転送を終了する（ステップ１００７）。
【００３３】
［サーバ２０３からサーバ１０３への差分データの伝送指示］
前記終了指示９１１及び終了指示９１２には、サーバ２０３にて更新された移動者７０１のデータをサーバ２０３からサーバ１０３へ送信する指示を含むため、本システムは、指示を受けたサーバ２０３が、サーバ２０３の利用率及び伝送路４０１の利用率が設定値以下である時間に、移動者７０１のデータのうち、サーバ１０３から受信された後で更新されたものを、データ送信９１３により伝送路２０５−伝送装置２０２−伝送路４０１−伝送装置１０２−伝送路１０５を経由してサーバ１０３へ送信し、サーバ１０３は送られてきた差分データをデータベース１０４へ格納する（ステップ１００８）。
【００３４】
［位置情報管理サーバ３０３のデータベースの更新の動作］
次いで位置情報管理サーバ３０３は、前記指示９１１及び指示９１２を送信した後、データベース３０４内に格納されている移動者７０１の現在所在するエリアの情報をＢエリア２００からＡエリア１００に更新し、更に移動者７０１の最新データを所持するサーバの情報をサーバ２０３からサーバ１０３に更新する（ステップ１００９）。
【００３５】
［Ａエリア１００帰還後のサーバ１０３へのデータアクセス］
前述の様に本システムは、移動者７０１がＢエリア２００からＡエリア１００へ移動経路７０４上を移動する間のサーバ１０３の利用率及び伝送路４０１の利用率が設定値以下である時間内に、移動者７０１のデータの転送を行うことにより、移動者７０１がＡエリアに到達後、データのアクセスを通信端末装置１０７から行う際に移動者がＢエリア２００へ移動する前と同じ環境にてデータのアクセスを行うことができる。（ステップ１０１０）。
【００３６】
以上述べた如く本実施形態によるデータ移動方法及びデータ移動システムは、利用者の移動を携帯端末７０２からの位置情報によって判定し、利用者があるエリアから他のエリアへ移動した場合、移動先のエリアのサーバへ利用者のデータを転送しておくことによって、利用者は他のエリアのサーバから必要とするデータを高速に入手することができ、更にシステムの回線負荷を低減することもできる。
【００３７】
即ち本実施形態によるデータ移動システム及び方法は、移動者が移動元（Ａ地点）から移動先（Ｂ地点）へ移動する際に、位置情報通知手段または移動することを通知する利用者エリア検出手段により、Ａ地点のサーバからＢ地点のサーバに移動者が必要とするデータを転送しておき、移動者がＢ地点に滞在している間、Ａ地点のサーバに届いたデータをＢ地点のサーバに転送させ、また、Ａ地点のサーバとＢ地点のサーバ間の通信において、サーバまたは回線の利用率が設定値以下であるときにデータを送受信させることにより、回線の利用率の平均化・負荷軽減及びそれによる他の利用者への影響を少なくし、また、移動者が移動元から移動先へ移動したときに既にデータが移動先に転送されているため、移動者がＢ地点で移動者の必要とするデータを送受信する際に、移動者はＡ地点〜Ｂ地点間の回線に負荷の影響を与えず、伝送によるレスポンス低下を意識することなくデータを送受信することができる。
【００３８】
尚、前述の本実施例においては、携帯通信装置から自動的に位置情報を通知する場合について説明したが、カーナビゲーション等、他の自動的に位置情報を通知する手段を用いることや、電話連絡／ＦＡＸ／メール／スケジューラからの移動入力情報等の事前移動通知手段により位置情報管理サーバに事前に通知することによっても、移動元のサーバから移動先のサーバへ移動者の必要とするデータを予め送信することもできる。例えば、前記実施形態においては利用者がＢエリアに在することを検出してからＢエリアのデータベースへ利用者のデータを伝送する例を説明したが、本発明はこれに限られるものではなく、利用者の移動先がＢエリアと予め判明している際、利用者又はスケジュール管理システム等がが当該Ｂエリアへ移動すること及び日時等の情報を位置情報管理センタに登録しておき、位置情報管理センタが前記登録情報及び利用者がＡエリア外に在すること又は境界地点を通過したことを検出した時点で、エリアＡからＢエリアへ該当の利用者のデータを伝送しておくことによって、利用者がＢエリアに到着する前にデータの伝送を終了しておくこともできる。
【００３９】
また、前述の実施形態では移動者が２つのエリアを移動する場合について説明したが、３つ以上のエリアを移動するときも、移動元のサーバから移動先のサーバへ、移動者の必要とするデータを送信することもできる。更に前記実施形態では移動者が移動先に滞在している期間中に、移動者が移動先から任意の場所へ送信したデータを、移動者の本拠地のサーバへ転送し、本拠地から目的の場所へ送信する場合について説明したが、移動者が移動先から任意の場所へ送信するデータを、移動先のサーバが、移動元の送信元情報を持たせ、移動先のサーバから送信させることもできる。
【００４０】
【発明の効果】
以上説明したように本発明によるデータ移動方法及びシステムは、（１）移動中または事前の指示により、利用者移動先の最寄のサーバにデータを転送しておくことにより、利用者のデータアクセス時間を短縮できる、（２）利用者が移動先に滞在中に移動元にて受信したデータを移動先の最寄のサーバに転送することにより、利用者のデータアクセス時間が短縮でき、（３）  事前に時間帯を指定する或いはサーバまたは伝送路の利用率が設定値以下の場合にデータの送付を行うことによって回線使用率のピークを避けてデータを送信し、システムの負荷を分散させることができる。
【図面の簡単な説明】
【図１】本発明の一実施形態によるデータ移動システムの全体構成を示す概略図。
【図２】本実施形態における移動者のＡエリアからＢエリアへ移動するときのデータ伝送手順を説明するための説明図。
【図３】本実施形態による利用者がＢエリアからＡエリアへ移動するときのデータ伝送手順を説明するための図。
【図４】本実施形態におけるシステム全体の動作フローチャート図。
【符号の説明】
１００：Ａエリア、２００：Ｂエリア、１０４及び２０４：データベース、１０３及び２０３：サーバ、１０２及び２０２：伝送装置、３０１：位置情報管理センタ、３０２：伝送装置、３０３：位置情報管理サーバ、３０４：位置情報のデータベース、７０１：利用者、１０７及び２０７：通信端末装置。
【図１】
2004280281.tif 000003
【図２】
2004280281.tif 000004
【図３】
2004280281.tif 000005
【図４】
2004280281.tif 000006